(57)【要約】【課題】取りつけるレンズやアクセサリーによって重心の位置が変わっても、最適な撮影姿勢を取ることが可能で、長時間にわたる撮影の負担を軽減できるショルダーパッドを有する放送用・業務用の肩乗せ型撮像装置を提供すること。【解決手段】撮像光学系が着脱自在な第一の筺体と、前記第一の筺体に対して着脱自在で複数のポジションを取ることが可能な第二の筺体とから構成されており、前記第二の筺体には、前記ショルダーパッド部、及び前記第二の筺体に対して前後方向に摺動自在なグリップ部が連結されており、前記複数の肩当てパッドのうち、少なくとも最後端の一体は前記第二の筺体に対して前後方向に摺動自在に構成されていることを特徴とする。【選択図】図３
2016092801.tif 000002
【特許請求の範囲】
【請求項１】
前後一対の三脚座と、前記一対の三脚座の間部に、表面を弾性部材で形成されている少なくとも二体以上の複数の肩当てパッドから構成され、前記複数の肩当てパッドのうち、少なくとも一つ以上の肩当てパッドが、被肩当てパッド取付部に対して相対的に動作可能な構成のショルダーパッド部を有する肩乗せ型撮像装置において、前記肩乗せ型撮像装置は撮像光学系が着脱自在な第一の筺体と、前記第一の筺体に対して着脱自在で複数のポジションを取ることが可能な第二の筺体とから構成されており、前記第二の筺体には、前記ショルダーパッド部、及び前記第二の筺体に対して前後方向に摺動自在なグリップ部が連結されており、前記複数の肩当てパッドのうち、少なくとも最後端の一体は前記第二の筺体に対して前後方向に摺動自在に構成されていることを特徴とする肩乗せ型撮像装置。
【請求項２】
前記第二の筺体は、前記第一の筺体に対して、前記第一の筺体の底面部に設けられている複数のネジ穴の一部を用いてネジにて固定されていることを特徴とする請求項１に記載の肩乗せ型撮像装置。
【請求項３】
前記第二の筺体のネジ貫通部は、長穴形状となっていることを特徴とする請求項１又は請求項２に記載の肩乗せ型撮像装置。
【発明の詳細な説明】
【技術分野】
【０００１】
本発明は、撮像装置に関するものであり、特にショルダーパッド周辺の構造に関する。
【背景技術】
【０００２】
一般的に、放送用・業務用のビデオカメラは、その本体を撮影者の肩に担いで撮影する肩乗せ型の撮影スタイルが多く採られており、撮影者の肩にかかる負担を軽減するため、ビデオカメラ底面の肩に当たる部位にショルダーパッドが設けられている。一般的なショルダーパッドには、発砲ポリエチレンなどのクッション性のある材料が用いられ、さらに肩の上でビデオカメラを安定させるために、肩の形状にフィットするように凹部が設けられている。
【０００３】
またここで、放送用・業務用のビデオカメラでは、例えばスタジオ等で撮影する場合には、安定して撮影するために三脚に据え置いて使用することが一般的である。放送用・業務用のビデオカメラにおいて三脚に接続し固定するための三脚座は通常、底面の前側と後ろ側に設けられており、三脚に対して２点止めとする形態が採られる。この２つの三脚座は本体に対して強固に固定されており、この２箇所を同時に三脚に固定することで、三脚に安定的に固定する。この２点間の距離は三脚側で決まるため、変更出来ない構造となっている。そして、ショルダーパッドは前後２つの三脚座の間の凹部に配置されていることが一般的である。
【０００４】
さらに、実際には放送用・業務用のビデオカメラでは、被写体の距離等に合わせて使用するレンズを交換出来る構造となっていることが一般的である。また、様々な撮影環境や撮影対象に対応するため、ビデオカメラ本体に対して様々なアクセサリーが取付けられるようになっている。そのため、取りつけるレンズやアクセサリーによって、ビデオカメラの重心位置は大きく変化してしまう。
【０００５】
ビデオカメラを肩の上で安定して保持するためにはビデオカメラを支えるショルダーパッド部は重心の直下に配置することが望ましい。しかし、放送用・業務用のビデオカメラではレンズやアクセサリーを交換するたびに重心位置が変化してしまうという問題があった。
【０００６】
この問題に対応するため、ショルダーパッド部の一部が前後方向に移動可能に構成されているものが提案されている（特許文献１参照）。
【先行技術文献】
【特許文献】
【０００７】
【特許文献１】特開平８−１８６７４９号公報
【発明の概要】
【発明が解決しようとする課題】
【０００８】
しかしながら、特許文献１では、前後二つの三脚座は本体に対して固定されているため、ショルダーパッドの前後方向の調整可能範囲は、おのずと二つの三脚座に挟まれた僅かな範囲のみとなる。そのため、例えば望遠撮影用の長いレンズや、広角撮影用の短いレンズを取り付けた時や、重たいアクセサリーを取り付けた時にはビデオカメラの重心位置がショルダーパッドの調整範囲の外になってしまい、安定的に保持出来ないことが多々見受けられた。
【０００９】
また、ビデオカメラを保持するグリップ部はレンズに一体に固定されていることが一般的である。そのため、ショルダーパッドを移動すると、肩と手の位置関係が変わってしまう。その結果、例えば手が極端に遠方になり不安定になったり、手が極端に手前側になり窮屈な撮影姿勢になる等、安定的にビデオカメラを保持することが困難になり長時間の撮影時に撮影者に大きな負担をかけてしまうという問題があった。
【００１０】
そこで、本発明の目的は、取りつけるレンズやアクセサリーによって重心の位置が変わっても、最適な撮影姿勢を取ることが可能で、長時間にわたる撮影の負担を軽減できるショルダーパッドを有する放送用・業務用の肩乗せ型撮像装置を提供することにある。
【課題を解決するための手段】
【００１１】
上記の目的を達成するため、本発明は、前後一対の三脚座と、前記一対の三脚座の間部に、表面を弾性部材で形成されている少なくとも二体以上の複数の肩当てパッドから構成され、前記複数の肩当てパッドのうち、少なくとも一つ以上の肩当てパッドが、被肩当てパッド取付部に対して相対的に動作可能な構成のショルダーパッド部を有する肩乗せ型撮像装置において、前記肩乗せ型撮像装置は撮像光学系が着脱自在な第一の筺体と、前記第一の筺体に対して着脱自在で複数のポジションを取ることが可能な第二の筺体とから構成されており、前記第二の筺体には、前記ショルダーパッド部、及び前記第二の筺体に対して前後方向に摺動自在なグリップ部が連結されており、前記複数の肩当てパッドのうち、少なくとも最後端の一体は前記第二の筺体に対して前後方向に摺動自在に構成されていることを特徴とする。
【００１２】
また、本発明の他の特徴とするところは、前記第二の筺体は、前記第一の筺体に対して、前記第一の筺体の底面部に設けられている複数のネジ穴の一部を用いてネジにて固定されていることを特徴する。
【００１３】
また、本発明の他の特徴とするところは、前記第二の筺体のネジ貫通部は、長穴形状となっていることを特徴とする。
【発明の効果】
【００１４】
本発明によれば、取りつけるアクセサリーによって重心の位置が変わっても、最適な撮影姿勢を取ることが可能で、長時間にわたる撮影の負担を軽減できるショルダーパッドを有する放送用・業務用の肩乗せ型撮像装置の提供を実現できる。
【図面の簡単な説明】
【００１５】
【図１】肩乗せ型撮像装置の斜視図。
【図２】本体部の斜視図。
【図３】肩乗せユニットを示す図。
【図４】ショルダーパッド説明図。
【図５】下方からの分解斜視図。
【図６】レンズ部による重心位置変化を示す図。
【図７】バッテリー追加による重心位置変化を示す図。
【発明を実施するための形態】
【００１６】
以下、本発明の実施形態を添付図面に基づいて説明する。
【００１７】
［実施の形態］
＜肩乗せ型撮像装置の構成要素説明＞
まず最初に図１を用いて肩乗せ型撮像装置１００の構成を説明する。図１（ａ）は本発明の肩乗せ型撮像装置１００を前側から見た斜視図である。図１（ｂ）は図１（ａ）の後側から見た斜視図である。なお、本実施の形態においては、被写体に向かう方向で上下左右とし、被写体側を正面と定義し説明を行う。図１に示すように、本実施形態の肩乗せ型撮像装置１００は、本体部１０１、肩乗せユニット１０２、ファインダー１０３、Ｌ字アングル１０４、レンズ部１０５、バッテリー１０６から構成されている。
【００１８】
肩乗せ型撮像装置１００を使用する際には、撮影者が自身の右肩の上に肩乗せユニット１０２を乗せる形で担ぎ、肩乗せ型撮像装置１００の左側面に撮影者の右頬を当てながら、右手でグリップユニット１１６を把持しバランスを取りながら保持する形態を取ることが最も安定して撮影出来る姿勢である。そのため、本実施例に示す肩乗せ型撮像装置１００も、この撮影姿勢を前提に各部の配置を行っている。
【００１９】
次に、肩乗せ型撮像装置１００の各構成要素について説明を行う。本体部１０１は、肩乗せ型撮像装置１００の撮影に関する主たる要素を持った部位であり、その詳細は後述する。肩乗せユニット１０２は、本体部１０１の底面部に連結されるユニットであり、撮影時には撮影者の肩に当接し、肩乗せ型撮像装置１００を安定的に保持する部位であり、その詳細は後述する。ファインダー１０３は、内部に液晶等の表示装置と複数の光学レンズを有する接眼光学ユニットであり、撮影中の映像信号に基づき画像を表示し、表示された画像を光学的に拡大させ、撮影者に対して現在撮影している画像情報を伝達するための部位である。
【００２０】
ファインダー１０３は、肩乗せ型撮像装置１００の左側面に後述のＬ字アングル１０４を介して本体部１０１上部に連結されている。これは、肩乗せ型撮像装置１００を担いでいる撮影者のちょうど目の正面であり、撮影時には自然にファインダーユニット１０３の最後端部の接眼部１０３Ａに目周辺を押し当て、内部を覗き込むことによって画像を確認することが可能になっている。これにより、例えば炎天下など、外部からの光が強い場所においても良好に撮影画像を目視することが可能となっている。
【００２１】
Ｌ字アングル１０４は、上面側から見た際にＬ字形状をした金属製の部位であり、本体部１０１とファインダー１０３を連結する部材である。なお、Ｌ字を構成する２辺のそれぞれには、正面側に開口を向けた第一レール部１０４１及び側面側に開口を向けた第二レール部１０４２が設けられている。
【００２２】
レンズ部１０５は、複数枚のレンズ群、絞り等の可動可能な複数の光学要素、およびこれらの光学要素を駆動させるアクチュエータを有しており、本体部１０１に内包されている撮像素子（不図示）上に結像する光学系である。なお、所定のレンズを移動させることにより、撮影画像の画角を変化させるズームや、被写体にピントを合わせるフォーカスを行うことができる。また、レンズ部１０５は本体部１０１に対して着脱自在に構成されている。
【００２３】
バッテリー１０６は、本体部１０１に対して着脱自在に構成されている、例えばリチウムイオン電池等の二次電池であり、肩乗せ型撮像装置１００に電力を供給するものである。また、バッテリー１０６の背面には、、バッテリー保持部１０６１が設けられている。これは後述の本体部１０１に設けられているバッテリー取付部１０９と同一形状である。
【００２４】
＜本体部の構成要素説明＞
次に、本体部１０１の構成要素について説明を図２を用いて説明する。図２（ａ）は本発明の肩乗せ型撮像装置１００を上側前方から見た斜視図である。図２（ｂ）は本発明の肩乗せ型撮像装置１００を下側後方から見た斜視図である。肩乗せ型撮像装置１００は、図２に示すように、レンズマウント部１０７、Ｌ字アングル取付部１０８、バッテリー取付部１０９、ネジ穴群１１０を備えている。また、内部には図中不図示の撮像素子、制御回路、記録部などを備えている。
【００２５】
レンズマウント部１０７は、本体部１０１の正面に設けられている、レンズ部１０５が取りつく部位であり、レンズ部１０５が機械的に取りつくだけでは無く、接点部を備えており、本体部１０１とレンズ部１０５とは電気的にも接続される。これにより、本体部１０１はレンズ部１０５の内部にあるアクチュエーターを制御することが可能となっている。Ｌ字アングル取付部１０８は、本体部１０１の正面に設けられている、Ｌ字アングル１０４の第一レール部１０４１と連結する部位である。なお、この部位を軸とし、Ｌ時アングルは左右方向に所定の範囲内で任意に摺動可能である。また、Ｌ字アングル１０４の摺動をロックするための構成も有している。
【００２６】
バッテリー取付部１０９は、本体部１０１の後方に設けらている、バッテリー１０６を着脱自在に保持する部位である。ネジ穴群１１０は、本体部１０１の底面側に前後方向に所定の間隔で等間隔に設けられた複数のネジ穴１１０１である。
【００２７】
＜肩乗せユニットの構成要素説明＞
次に肩乗せユニット１０２の構成要素について図３を用いて説明する。図３は下側から見た肩乗せユニット１０２を示す図である。肩乗せユニット１０２は、ベース部材１１１、前側三脚座１１２、後ろ側三脚座１１３、バー１１４、バーストッパー１１５、グリップユニット１１６、前側ショルダーパッド１１７、後ろ側ショルダーパッド１１８から構成されている。ベース部材１１１は、肩乗せユニット１０２を構成する種々の部材が取りつけるための土台となるための部材である。また、ベース部材１１１には、上下方向に貫通する長穴１１３１が左右対称な形で複数設けられている（図３中では４箇所）。
【００２８】
前側三脚座１１２、後ろ側三脚座１１３は、図中不図示の三脚に対して肩乗せ型撮像装置１００を固定するための部材であり、それぞれ三脚側の固定機構の形状に対応した形状をしている。なお前側三脚座１１２と後ろ側三脚座１１３は所定の間隔をもってベース部材１１１に対して強固に固定されている。バー１１４は、ベース部材１１１から前方に突出する形で２本配設されている棒状の中空部材であり、２本のバー１１４は並行に併設されている。なお、バー１１４はベース部材１１１から取り外すことも可能な構成となっている。バーストッパー１１５は、２本のバー１１４先端に固定されているバー１１４先端を覆うキャップ状の部材である。
【００２９】
グリップユニット１１６は、２本のバー１１４に吊られる形で保持されているユニットであり、撮影時に手を添えて肩乗せ型撮像装置１００を保持するための部位である。また、ズームや絞り等のレンズ部１０５のアクチュエーターを操作する部位や記録の開始停止を指示するトリガーキーなど各種操作部など撮影時に使用する操作系がグリップユニット１１６には設けられており、撮影時に使用する操作をスムーズに行えるようになっている。また、グリップユニット１１６は、２本のバー１１４に沿ってベース部材１１１とバーストッパー１１５の間では、図中矢印のように前後左右方向にそれぞれ独立して摺動可能かつ任意の位置にて固定可能な構成となっている。
【００３０】
グリップユニット１１６は前述のようにベース部材１１１とバーストッパー１１５に挟まれる形となる、そのため前後に摺動したとしてもどちらか一方に衝突するため、抜けおちてしまうと事はなく安定して撮影を行う事が可能となっている。また、バー１１４及びバー１１４に吊るされているグリップユニット１１６を取り外した状態の肩乗せユニット１０２を本体部１０１に取付けて、グリップ部が一体に形成されているレンズ部（不図示）を用いて撮影することも可能である。
【００３１】
前側ショルダーパッド１１７は、ベース部材１１１の下側に設けられた撮影時に撮影者の肩に当接する部位であり、表面を発砲ポリエチレンなどのクッション性のある材料で構成し、金属製のフレームが内包されている部材である。そして、一部露出しているフレーム部を挟みこむ形でネジ１１９を用いてベース部材１１１と一体となるよう強固に固定されている。
【００３２】
後ろ側ショルダーパッド１１８も、前側ショルダーパッド１１７と同様にベース部材１１１の下側に設けられた撮影時に撮影者の肩に当接する部位であり、表面を発砲ポリエチレンなどのクッション性のある材料で構成し、金属製のフレームが内包されている部材である。後ろ側ショルダーパッド１１８は、ベース部材１１１に対して既知の移動機構（不図示）を介して前後方向に移動可能に連結されている。
【００３３】
後ろ側ショルダーパッド１１８は、前側ショルダーパッド１１７に当接したポジションと、前側ショルダーパッド１１７から所定の距離だけ離間した２つのポジションの間を前後方向に移動可能であり、その途中のポジションにおいても任意の場所でロック可能な構成となっている。なお、後ろ側ショルダーパッド１１８の移動機構のロック及び解除の作業は肩乗せ型撮像装置１００を肩に担いだ状態においても片手で簡単に操作できるものとなっている。
【００３４】
なお、後ろ側ショルダーパッド１１８の前後方向への移動機構は既知の技術を用いた移動機構であるため、その構造等の詳細は本実施例では割愛する。前側ショルダーパッド１１７及び後ろ側ショルダーパッド１１８は、撮影時には肩乗せ型撮像装置１００の自重を受ける。それにより、表面近傍の発砲ポリエチレンで形成されている部位が変形するが、内部にフレームが入っているため全体としては大きく変形することなく、一定の範囲内で形状を維持する、そのため肩乗せ型撮像装置１００を安定して保持することが可能となる。
【００３５】
以上説明したような肩乗せユニット１０２の構成とすることによって、撮影者自身の体格に合わせて把持する手の位置と肩の位置関係を調整することが可能となり、最も安定した姿勢で撮影することが可能となっている。
【００３６】
＜ショルダーパッドの詳細説明＞
ここで、前側ショルダーパッド１１７及び後ろ側ショルダーパッド１１８の詳細について図４を用いて説明する。図４（ａ）は後ろ側ショルダーパッド１１８を前側に移動させた状態を示す図である。図４（ｂ）は後ろ側ショルダーパッド１１８を後ろ側に移動させた状態を示す図である。前側ショルダーパッド１１７と後ろ側ショルダーパッド１１８は、前後方向に分割されている形状をしており、後ろ側ショルダーパッド１１８に形成されている凸部１２０と前側ショルダーパッド１１７に形成されている切り欠き部１２１に対して前後方向にオーバーラップするように嵌り込んで組み合わさっている。
【００３７】
この時、凸部１２０と切り欠き部１２１のオーバーラップ量は後ろ側ショルダーパッド１１８の移動量よりも十分に長く設定されており、後ろ側ショルダーパッド１１８を最も後ろ側に移動させた状態においても、凸部１２０と切り欠き部１２１はオーバーラップした状態を保つ関係になている。これにより、後ろ側ショルダーパッド１１８の位置にかかわらず常に撮影者の肩に安定的に当接することが可能となっている。
【００３８】
また、前側ショルダーパッド１１７と後ろ側ショルダーパッド１１８は組み合わさった状態を側方より見ると、円弧形状の凹となっている。前側ショルダーパッド１１７と後ろ側ショルダーパッド１１８によって形成される円弧形状の凹は人間工学に基づき形作られており、極めて自然な形で撮影者の肩に対して当接する。これにより、肩乗せ型撮像装置１００は安定して保持することが可能となる。
【００３９】
なお、本実施例においては、後ろ側ショルダーパッド１１８のみがベース部材１１１に対して移動可能な構成としたが、移動可能なショルダーパッドを逆転させることや、撮影者の肩に当接する部位を２つではなく３つ以上のショルダーパッドにて構成し、そのうちの複数、又は全てが移動可能な構成などにしても一向に構わない。
【００４０】
ここまでで、肩乗せ型撮像装置１００を構成する本体部１０１及び肩乗せユニット１０２の構成を説明したが、肩乗せ型撮像装置１００は、この他にも動画を記録するための機能を果たす為に必要な種々の構成要素を有している。しかし、その構成や機能の詳細は本発明の本質にかかわりが少ないため説明を省略する。
【００４１】
＜肩乗せユニットの締結方法説明＞
次に本体部１０１に対する肩乗せユニット１０２の固定方法について図５を用いて説明する。図５は本体部１０１に対する肩乗せユニット１０２の固定方法を説明する分解斜視図である。肩乗せユニット１０２の本体部１０１に対する固定方法は、図５に示すように、ベース部材１０３に設けられている長穴１０３１を取付ネジ１２２が貫通し、取付ネジ１２２でベース部材１０３を挟み込む形で本体部１０１下側のネジ穴群１１０の一部に対して締結される。
【００４２】
この時、ネジ穴１１０１は前後方向に所定の間隔を開けて複数配置されているため、肩乗せユニット１０２は前後方向に複数の取付ポジションを取ることが可能である。また、取付ネジ１２２が長穴１０３１を貫通する形でベース部材１０３を固定しているため、取付け位置の微調整を行うことが可能な構成となっている。
【００４３】
＜レンズ部による重心位置の変化の説明＞
次に、取りつけたレンズ部１０５の違いによる重心位置の変化について図６を用いて説明する。図６（ａ）は望遠用の重くて長いレンズ部１０５１を取り付けた状態を示す図である。図６（ｂ）は広角用の軽くて短いレンズ部１０５２を取り付けた状態を示す図である。図６（ａ）に示すように、例えば望遠用の重くて長いレンズ部１０５１を取り付けた際には、肩乗せ型撮像装置１００の重心位置１２３は前側寄りの位置となる。そして、図６（ｂ）に示すように、例えば広角用の軽く短いレンズ部１０５２を取り付けた際には肩乗せ型撮像装置１００の重心位置１２３は後ろ側寄りの位置となる。
【００４４】
前述のように、肩乗せユニット１０２は本体部１０１に対して前後方向に複数の取付ポジションを取ることが出来る。そのため、どのようなレンズ部１０５が取りついたとしても常に肩乗せ型撮像装置１００の重心位置１２３の直下を肩で支える事が可能な位置に肩乗せユニット１０２を配置することが可能となり、肩乗せ型撮像装置１００を常に安定的に保持することが可能となる。また、グリップユニット１１６は肩乗せユニット１０２に含まれているため、肩乗せユニット１０２をどのような位置に移動させたとしても、把持する手と肩の位置関係は一切変化しない。そのため、常に撮影者にとって最適な手と肩の位置関係を保持することが可能となっている。
【００４５】
さらに、ファインダー１０３は、Ｌ字アングル１０４の第二レール１０４２に沿って前後方向に移動可能に配設されているため、肩乗せユニット１０２の位置に応じて無理の無い姿勢で撮影することが可能である。なお、本実施例においては、レンズ部１０５の違いによる重心の変化への対応を説明したが、これに限定されるものでは無く、アクセサリーの有無や大小による重心位置１２３の変化においても同様に肩乗せユニット１０２を調整することが可能である。
【００４６】
＜撮影途中での重心変化への対応の説明＞
次に撮影途中での重心の変化への対応を図７を用いて説明する。図７はバッテリー１０６の追加による重心位置１２３の変化を示す図である。撮影が長時間に及び、撮影途中にバッテリー１０６の残量が低下してしまう事がある。この様な場合には、図７に示すように、使用中のバッテリ１０６の後ろ側のバッテリー保持部１０６１に対してバッテリー１０６を追加で接続することによって、バッテリー残量を確保することがある。その際には、後ろ側の重量が増えるため、肩乗せ型撮像装置１００の重心位置１２３は後ろ側に移動する。
【００４７】
後ろ側に移動後の重心位置１２３１の直下を肩で支えるために、肩乗せユニット１０２と本体部１０１から一度取り外した後に最適な位置に再取付することは、撮影が中断されてしまうため、好ましくない。
【００４８】
一方、本実施例に示す肩乗せ型撮像装置１００においては、前述のように後ろ側ショルダーパッド１１８の移動機構のロック及び解除の作業は肩乗せ型撮像装置１００を肩に担いだ状態においても片手で簡単に操作できるものとなっている。そのため、肩乗せ型撮像装置１００を肩に担いだまま後ろ側ショルダーパッド１１８を後ろ側のポジションに移動することによって移動後の重心位置１２３１の直下に肩を持ってくることが可能である。この作業は、肩乗せ型撮像装置１００を肩に担いだ状態でも行えるため撮影を中断することがなく、非常に効率が良い。
【００４９】
以上説明してきたように、本実施例に示す肩乗せ型撮像装置１００は、複数のショルダーパッド１１９、１２０及びグリップ部１１８を持つ肩乗せユニット１０２を本体部１０１に対して前後方向に複数のポジションを取れるように構成し、かつショルダーパッドの少なくとも一つを前後移動可能な構成を採用している。これにより、取りつけるアクセサリーによって重心の位置が変わっても、最適な撮影姿勢を取ることが可能で、長時間にわたる撮影の負担を軽減できるショルダーパッドを有する放送用・業務用のビデオカメラを提供することが可能となる。
【００５０】
以上、本発明の肩乗せ型撮像装置をその好適な実施形態に基づいて詳述してきたが、本発明は上記実施例に示す形態のみに限定されるものではなく、本発明と同様の効果が得られるものであれば、この発明の要旨を逸脱しない範囲の様々な形態も本発明に含まれる。また、上述の実施形態の一部を適宜組み合わせてもよい。
【符号の説明】
【００５１】
１００  肩乗せ型撮像装置、１０１  本体部、１０２  肩乗せユニット、
１０３  ファインダー、１０４  Ｌ字アングル、１０４１  第一レール部、
１０４２  第二レール部、１０５  レンズ部、１０５１  長いレンズ、
１０５２  短いレンズ、１０６  バッテリー、１０６１  バッテリー保持部、
１０７  レンズマウント部、１０８  Ｌ字アングル取付部、１０９  バッテリー取付部、
１１０  ネジ穴群、１１０１  ネジ穴、１１１  ベース部材、１１１１  長穴、
１１２  前側三脚座、１１３  後ろ側三脚座、１１４  バー、１１５  バーストッパー、
１１６  グリップユニット、１１７  前側ショルダーパッド、
１１８  後ろ側ショルダーパッド、１１９  ネジ、１２０  凸部、１２１  切り欠き部、
１２２  取付ネジ、１２３  重心位置、１２３１  移動後の重心位置
【図１】
2016092801.tif 000003
【図２】
2016092801.tif 000004
【図３】
2016092801.tif 000005
【図４】
2016092801.tif 000006
【図５】
2016092801.tif 000007
【図６】
2016092801.tif 000008
【図７】
2016092801.tif 000009